(57)【特許請求の範囲】
【請求項１】
所定角度間隔で内方へ向けて突出する複数の突出磁極(2)を有する輪状ステータ(1)と、前記輪状ステータ(1)の両面に一体又は別体にて設けられた輪状絶縁カバー(3)と、前記輪状絶縁カバー(3)に突出して形成され前記各突出磁極(2)に対応して位置する耳部(4)と、前記輪状絶縁カバー(3)に形成され軸方向に沿って突出する突出壁部(8)と、前記各突出磁極(2)に前記耳部(4)を介して巻回されたステータ巻線(5)と、を備え、
前記各突出磁極(2)に巻回された各ステータ巻線(5)の渡り線(6)は、前記突出壁部(8)を介して案内され、
前記突出壁部(8)は前記各突出磁極(2)間のスロット(7)に対応して形成され、前記突出壁部(8)の外面(8a)には、複数段からなる段部(8A〜8C)が形成され、前記各段部(8A〜8C)には互いに異なる相の前記ステータ巻線(5)の渡り線(6A〜6C)が位置し、前記各渡り線(6A〜6C)は前記各段部(8A〜8C)に対してワニス剤による固定ではなくテンションのみで位置決めされている構成よりなるレゾルバの渡り線傷付及び浮き防止構造において、
前記突出壁部(8)の円周方向に沿う幅(W)は、前記スロット(7)のスロット幅と一致し、前記各段部(8A〜8C)の高さは各相の巻線高さに応じて高さを設定することにより、前記突出磁極(2)の巻線部分の高さと各段部(8A〜8C)の高さは同じ高さに設定されていることを特徴とするレゾルバの渡り線傷付及び浮き防止構造。
【発明の詳細な説明】
【技術分野】
【０００１】
本発明は、レゾルバの渡り線傷付及び浮き防止構造に関し、特に、各突出磁極間の渡り線を案内するための突出壁部の外面に形成した複数の段部に各相の渡り線を各々個別に案内し、各相間の接触を防止及び各突出磁極間の浮き線も防止するための新規な改良に関する。
【背景技術】
【０００２】
従来のレゾルバの渡り線構造としては、例えば、特許文献１に開示されている構造を図４及び図５に示すことができる。
すなわち、図４及び図５において符号１で示されるものは輪状ステータであり、この輪状ステータ１の内面には、所定角度間隔で内方へ向けて突出する複数の突出磁極２が一体に形成されている。
【０００３】
前記輪状ステータ１の両面には、インサート成形による一体又は別体（二体）により形成される輪状絶縁カバー３が形成されており、この輪状絶縁カバー３には、前記各突出磁極２の先端面のみを残して全体を覆うための耳部４が一体に突出して形成されている。
【０００４】
前記各突出磁極２には、前記耳部４を介してステータ巻線５が巻回されており、このステータ巻線５の渡り線６は、前記輪状絶縁カバー３の前記各突出磁極２間のスロット７に対応して設けられた突出壁部８の外面８ａに接触して案内されている。
【０００５】
前記突出壁部８は、拡大して示すと図５のように構成され、前記渡り線６の１相目渡り線６ａ、２相目渡り線６ｂ及び３相目渡り線６ｃは、前記外面８ａで互いに積層状に形成されている。
【０００６】
【特許文献１】米国特許第６，７５０，５７７号明細書
【発明の開示】
【発明が解決しようとする課題】
【０００７】
従来のレゾルバの渡り線構造は、以上のように構成されていたため、次のような課題が存在していた。
すなわち、突出壁部の外面が平面で形成されているため、各相の渡り線は分離されずに上下方向に沿って積み重ね状となり、互いに接触するため、被膜が損傷してショートすることもあった。
また、各相の渡り線をワニス剤で固定しなければならず、大量生産時の生産性向上へのネックとなっていた。
【課題を解決するための手段】
【０００８】
本発明によるレゾルバの渡り線傷付及び浮き防止構造は、所定角度間隔で内方へ向けて突出する複数の突出磁極を有する輪状ステータと、前記輪状ステータの両面に一体又は別体にて設けられた輪状絶縁カバーと、前記輪状絶縁カバーに突出して形成され前記各突出磁極に対応して位置する耳部と、前記輪状絶縁カバーに形成され軸方向に沿って突出する突出壁部と、前記各突出磁極に前記耳部を介して巻回されたステータ巻線と、を備え、前記各突出磁極に巻回された各ステータ巻線の渡り線は、前記突出壁部を介して案内され、前記突出壁部は前記各突出磁極間のスロットに対応して形成され、前記突出壁部の外面には、複数段からなる段部が形成され、前記各段部には互いに異なる相の前記ステータ巻線の渡り線が位置し、前記各渡り線は前記各段部に対してワニス剤による固定ではなくテンションのみで位置決めされている構成よりなるレゾルバの渡り線傷付及び浮き防止構造において、
前記突出壁部の円周方向に沿う幅は、前記スロットのスロット幅と一致し、前記各段部の高さは各相の巻線高さに応じて高さを設定することにより、前記突出磁極の巻線部分の高さと各段部の高さは同じ高さに設定されている構成である。
【発明の効果】
【０００９】
本発明によるレゾルバの渡り線傷付及び浮き防止構造は、以上のように構成されているため、次のような効果を得ることができる。
すなわち、所定角度間隔で内方へ向けて突出する複数の突出磁極を有する輪状ステータと、前記輪状ステータの両面に一体又は別体にて設けられた輪状絶縁カバーと、前記輪状絶縁カバーに突出して形成され前記各突出磁極に対応して位置する耳部と、前記輪状絶縁カバーに形成され軸方向に沿って突出する突出壁部と、前記各突出磁極に前記耳部を介して巻回されたステータ巻線と、を備え、前記各突出磁極に巻回された各ステータ巻線の渡り線は、前記突出壁部を介して案内され、前記突出壁部は前記各突出磁極間のスロットに対応して形成され、前記突出壁部の外面には、複数段からなる段部が形成され、前記各段部には互いに異なる相の前記ステータ巻線の渡り線が位置し、前記各渡り線は前記各段部に対してワニス剤による固定ではなくテンションのみで位置決めされていることにより、各相の渡り線相互の接触を防止し、ワニス剤を用いることなく損傷防止が可能で、浮き線を防止し、振動による断線を防止し、生産性の向上を得ることができる。
また、前記突出壁部の円周方向に沿う幅は、前記スロットのスロット幅と一致していることにより、渡り線の保持が完全となり、信頼性の向上となる。
【発明を実施するための最良の形態】
【００１０】
本発明は、各突出磁極間の渡り線を案内するための突出壁部の外面に形成した複数の段部に各相の渡り線を各々個別に案内し、各相間の接触を防止するようにしたレゾルバの渡り線傷付防止構造を提供すると共に、各突出磁極間に突出壁部を設けることにより、浮き線を防止し、振動によるコイル動きを抑制することを目的とする。
【実施例】
【００１１】
以下、図面と共に本発明によるレゾルバの渡り線傷付及び浮き防止構造の好適な実施の形態について説明する。
尚、従来例と同一又は同等部分には同一符号を付して説明する。
図１及び図２において符号１で示されるものは輪状ステータであり、この輪状ステータ１の内面には、所定角度間隔で内方へ向けて突出する複数の突出磁極２が一体に形成されている。
【００１２】
前記輪状ステータ１の内面には、インサート成形による一体又は別体（二体）により形成される輪状絶縁カバー３が形成されており、この輪状絶縁カバー３には、前記各突出磁極２の先端面のみを残して全体を覆うための耳部４が一体に突出して形成されている。
【００１３】
前記各突出磁極２には、前記耳部４を介してステータ巻線５が巻回されており、このステータ巻線５の渡り線６は、前記輪状絶縁カバー３の前記各突出磁極２間のスロット７に対応して設けられた突出壁部８の外面８ａに接触して案内されている。
【００１４】
前記突出壁部８は、拡大して示すと図２のように構成され、複数の第１、第２、第３段部８Ａ、８Ｂ、８Ｃが階段状に形成されており、前記渡り線６のうちの１相目渡り線６Ａは第１段部８Ａに、２相目渡り線６Ｂは第２段部８Ｂに、３相目渡り線６Ｃは第３段部８Ｃに位置して案内されている。
【００１５】
前記各段部８Ａ〜８Ｃに位置決めされた各渡り線６Ａ〜６Ｃは、各段部８Ａ〜８Ｃによって互いに独立すると共に、互いに非接触状態となり、従来のように、ワニス剤を用いて各渡り線６Ａ〜６Ｃを固定しなくても各段部８Ａ〜８Ｃにテンションのみで確実に位置決めすることができる。
尚、各渡り線６Ａ〜６Ｃ及び各段部８Ａ〜８Ｃの数は相数の増減により変更されるものである。また、各突出磁極２間を突出壁部８により巻線を配設するため、浮き線の防止もできる。また、図１のように、突出壁部８の円周方向に沿う幅Ｗは、前記スロット７のスロット幅と一致している構成が、各渡り線６Ａ〜６Ｃを位置決め保持するのに好適である。
また、前記各段部８Ａ〜８Ｃの高さは各相の巻線高さに応じて高さを設定するため、突出磁極２の巻線部分の高さと各段部８Ａ〜８Ｃの高さは同じ高さに設定されている。
【図面の簡単な説明】
【００１６】
【図１】本発明によるレゾルバの渡り線傷付防止構造の要部を示す斜視図である。
【図２】図１の要部の拡大断面図である。
【図３】図１の要部の拡大斜視図である。
【図４】従来構造を示す要部の斜視図である。
【図５】図４のＡ部の拡大断面図である。
【符号の説明】
【００１７】
１    輪状ステータ
２    突出磁極
３    輪状絶縁カバー
４    耳部
５    ステータ巻線
６    渡り線
６Ａ〜６Ｃ    １相目〜３相目渡り線
８    突出壁部
８Ａ〜８Ｃ    第１〜第３段部
Ｗ 幅
【図１】
0005167457.tif 000002
【図２】
0005167457.tif 000003
【図３】
0005167457.tif 000004
【図４】
0005167457.tif 000005
【図５】
0005167457.tif 000006